(57)【要約】【課題】各種の書類や伝票類の整理、保管及び処理を簡便にするクリアホルダー及びユニットを提供する。【解決手段】透明のクリアホルダーの本体上部にハンガー１４を備える。複数のハンガー１４付きのクリアホルダ１と、これらクリアホルダー１を吊り下げるためのバー２２を有するラック２１とにより、ユニット２を構成する。複数のハンガー１４付きのクリアホルダー１を机上や卓上などでラック２１（のバー２２）に吊り下げて立てることで、すべてのクリアホルダー１内に収納された書類や伝票を見やすくし取り出しやすくする。【選択図】図３
0003129071.tif 000002
【実用新案登録請求の範囲】
【請求項１】
透明又は半透明のプラスチックシートが２つに折られて、表裏２つの透明または半透明シートを備え、当該折り曲げられた縁部を一側縁部とし、これに隣接する前記各透明又は半透明シートの下端縁部を結合されて、前記折り曲げられた縁部に対する前記各透明又は半透明シートの他側縁部及びこれに連続する上端縁部を開閉可能な略袋形状に形成されたクリアホルダーにおいて、
前記各透明又は半透明シートの上部にハンガーを備え、吊り下げ形式にしたことを特徴とするクリアホルダー。
【請求項２】
ハンガーは一対のフック部材からなり、各透明又は半透明シートの上部外側面に固定されて、前記各透明又は半透明シートの上端縁部から上方に突出される請求項１に記載のクリアホルダー。
【請求項３】
請求項１又は２に記載の複数のクリアホルダーと、
前記各クリアホルダーの各ハンガーを係脱可能にかつ係止状態のまま水平方向にスライド可能な断面形状及び所定の長さを有するバー、及び前記バーの両端又は一端を固定し、前記バーを前記各クリアホルダーを吊り下げ可能な所定の高さに支持するベースを有するラックとを備え、
前記各クリアホルダーを前記バーに吊り下げて、水平方向に整列することを特徴とするクリアホルダーユニット。
【請求項４】
透明又は半透明のプラスチックシートが２つに折られて、表裏２つの透明又は半透明シートを備え、当該折り曲げられた縁部を一側縁部とし、これに隣接する前記各透明又は半透明シートの下端縁部を結合されて、前記折り曲げられた縁部に対する前記各透明又は半透明シートの他側縁部及びこれに連続する上端縁部を開閉可能な略袋形状に形成されたクリアホルダーに後付けされるアクセサリーであって、
一対のフック部材と、
前記各フック部材をクリアホルダーの各透明又は半透明シートに固定するための固定手段とを備え、
一般のクリアホルダーに取り付けて、吊り下げ式のクリアホルダーに仕様変更することを特徴とするクリアホルダー用ハンガー。
【請求項５】
請求項４に記載の複数のクリアホルダー用ハンガーと、
前記各ハンガーを係脱可能にかつ係止状態のまま水平方向にスライド可能な断面形状及び所定の長さを有するバーと、前記バーの両端又は一端を固定し、前記バーを所定の高さに支持するベースとを備え、
一般のクリアホルダーに前記ハンガーを取り付けて、これら吊り下げ形式のクリアホルダーを前記バーに吊り下げ、水平方向に整列することを特徴とするクリアホルダー用ハンガーユニット。
【考案の詳細な説明】
【技術分野】
【０００１】
本考案は、各種の書類や伝票類の整理、保管、処理に使用するクリアホルダー及びクリアホルダーユニット、並びにクリアホルダー用ハンガー及びクリアホルダー用ハンガーユニットに関する。
【背景技術】
【０００２】
今日、オフィスなどを始めとして、各種の書類や伝票類などの整理、保管に所謂クリアホルダーが利用されている。このクリアホルダーは一般に、略長方形の透明または半透明のプラスチックシートが長手方向中央で２つに折られ、折り曲げられた辺に隣接する一方の辺（使用時の下辺）を熱溶着又は超音波溶着されて、他の二辺が開いた略袋形状に形成されている。整理、保管する書類や伝票などはこのクリアホルダーの開放された２辺間から出し入れされ、表裏一対の透明シート間に挟んで収納される。この種のクリアホルダーは特許文献１に記載されている。
【特許文献１】特開２０００−１５９７２公報
【考案の開示】
【考案が解決しようとする課題】
【０００３】
ところで、この種のクリアホルダーの一般的な使い方を見ると、各種の書類や伝票類がクリアホルダーに挟み込まれると、このクリアホルダーは机上に置かれることが多く、しかも、多くの場合、多数のクリアホルダーが平置きの状態で積み上げられている。このため、この平積みされた多数のクリアホルダーの中から必要な書類や伝票が入ったものを取り出そうとすると、多数のクリアホルダーを上から順に一つひとつ見ていき、該当するクリアホルダーを見つけて取り出すことになり、今必要なクリアホルダーを取り出すまでに多くの時間を要することが少なくない。また、多くのクリアホルダーから必要な書類や伝票が入ったものを捜しているうちに、これらのクリアホルダーが積み替えられて積み重ねられた順番が変わってしまい、捜しているクリアホルダーがますます見つからないといったことも珍しくない。さらに、多くのクリアホルダーに収納された書類や伝票を机上で一覧しようとすると、各クリアホルダーを机上に広げる必要があるが、この場合、机上の作業スペースは多くのクリアホルダーで占有されて、他の作業の邪魔になったり、クリアホルダーが机上に散在するばかりで、書類や伝票の処理が進まなかったりすることもありがちである。このようなことが日常的に繰り返されていては、非効率極まりない作業と言う他ない。本来、書類や伝票を中の透けて見えるクリアホルダーに入れることで、書類や伝票を容易かつ迅速に整理、保管でき、そして必要に応じ透明シートを通して中の書類や伝票を簡単に視認することができるのがクリアホルダーの優れた利点であるが、クリアホルダーの一般的な使い方を見る限り、書類や伝票を一度クリアホルダーに入れてしまうと、クリアホルダーの数が多くなったときに、その中から必要な書類や伝票を入れたクリアホルダーを見つけ、取り出す作業が簡便ではなく、必要なクリアホルダーを容易かつ迅速に取り出すことが難しいというのも多くのユーザーが実感するところである。
【０００４】
本考案は、このような従来の問題を解決するものであり、その目的は、各種の書類や伝票類の整理、保管に使用する多くのクリアホルダーを机上に邪魔になることなしに置き、この多くのクリアホルダーの中から必要な書類や伝票などが入ったクリアホルダーを容易かつ迅速に見出して、取り出すことができ、さらに、机上の作業スペースを大きく占有することなしに、また他の作業の支障なしに、多くのクリアホルダーに収容された書類や伝票を一覧することができるなど、クリアホルダーによる各種の書類や伝票類の整理、保管、そして処理を簡便に行うことのできるクリアホルダー及びクリアホルダーユニット、並びにクリアホルダー用ハンガー及びクリアホルダー用ハンガーユニットを提供することを目的とする。
【課題を解決するための手段】
【０００５】
上記課題を解決するために、本考案のクリアホルダーは、透明又は半透明のプラスチックシートが２つに折られて、表裏２つの透明または半透明シートを備え、当該折り曲げられた縁部を一側縁部とし、これに隣接する前記各透明又は半透明シートの下端縁部を結合されて、前記折り曲げられた縁部に対する前記各透明又は半透明シートの他側縁部及びこれに連続する上端縁部を開閉可能な略袋形状に形成されたクリアホルダーにおいて、前記各透明又は半透明シートの上部にハンガーを備え、吊り下げ形式にしたことを要旨とする。この場合、ハンガーは一対のフック部材からなり、各透明又は半透明シートの上部外側面に固定されて、前記各透明又は半透明シートの上端縁部から上方に突出されることが好ましい。
【０００６】
また、上記課題を解決するために、本考案のクリアホルダーユニットは、上記の複数のクリアホルダーと、前記各クリアホルダーの各ハンガーを係脱可能にかつ係止状態のまま水平方向にスライド可能な断面形状及び所定の長さを有するバー、及び前記バーの両端又は一端を固定し、前記バーを前記各クリアホルダーを吊り下げ可能な所定の高さに支持するベースを有するラックとを備え、前記各クリアホルダーを前記バーに吊り下げて、水平方向に整列することを要旨とする。
【０００７】
さらに、上記課題を解決するために、本考案のクリアホルダー用ハンガーは、透明又は半透明のプラスチックシートが２つに折られて、表裏２つの透明又は半透明シートを備え、当該折り曲げられた縁部を一側縁部とし、これに隣接する前記各透明又は半透明シートの下端縁部を結合されて、前記折り曲げられた縁部に対する前記各透明又は半透明シートの他側縁部及びこれに連続する上端縁部を開閉可能な略袋形状に形成されたクリアホルダーに後付けされるアクセサリーであって、一対のフック部材と、前記各フック部材をクリアホルダーの各透明又は半透明シートに固定するための固定手段とを備え、一般のクリアホルダーに取り付けて、吊り下げ式のクリアホルダーに仕様変更することを要旨とする。
【０００８】
またさらに、上記課題を解決するために、本考案のクリアホルダー用ハンガーユニットは、上記の複数のハンガーと、前記各ハンガーを係脱可能にかつ係止状態のまま水平方向にスライド可能な断面形状及び所定の長さを有するバーと、前記バーの両端又は一端を固定し、前記バーを所定の高さに支持するベースとを備え、一般のクリアホルダーに前記ハンガーを取り付けて、これら吊り下げ形式のクリアホルダーを前記バーに吊り下げ、水平方向に整列することを要旨とする。
【考案の効果】
【０００９】
本考案のクリアホルダーは、上記の構成により、クリアホルダーの上部にハンガーを設け、吊り下げ形式にしたので、机上や卓上などに例えば棒状、紐状、又はワイヤ状のものを架設したり、ハンガーを係脱可能な形状を有するラックなどを設置したりすることで、クリアホルダーをそのハンガーにより吊り下げることができ、多くのクリアホルダーを机上や卓上などで吊り下げて立てることができる。これにより、多数のクリアホルダーでも、机上や卓上などに少ないスペースで置くことができる。そして、多くのクリアホルダーでも、各クリアホルダーの間から、各クリアホルダーに収納された書類や伝票を各クリアホルダーの透明シートを通して視認することができ、必要な書類や伝票が収納されたクリアホルダーを素早く、簡単に見つけ、取り出すことができる。したがって、各種の書類や伝票類の整理、保管に使用する多くのクリアホルダーを机上や卓上などに邪魔になることなしに置き、この多くのクリアホルダーの中から必要な書類や伝票などが入ったクリアホルダーを容易かつ迅速に見出し、取り出すことができ、また、クリアホルダー内の書類等を増やしたり減らしたりしたいときでも、書類等の出し入れを簡単に行うことができ、さらに、机上や卓上などの作業スペースを大きく占有することなしに、また他の作業の支障なしに、多くのクリアホルダーに収容された書類や伝票を一覧することができるなど、クリアホルダーによる各種の書類や伝票類の整理、保管、そして処理を簡便に行うことができる。
【００１０】
本考案のクリアホルダーユニットは、上記の構成により、ハンガー付きのクリアホルダと、このクリアホルダーを吊り下げるためのラックとを併せて備えたので、机上や卓上などにラックを設置することで、クリアホルダーをハンガーによりラックのバーに掛けて吊り下げることができ、多くのクリアホルダを机上や卓上などでラックに吊り下げて立てることができる。これにより、多数のクリアホルダーでも、机上や卓上などに少ないスペースで置くことができる。そして、多くのクリアホルダーでも、各クリアホルダーの間から、各クリアホルダーに収納された書類や伝票を各クリアホルダーの透明シートを通して視認することができ、必要な書類や伝票が収納されたクリアホルダーを素早く、簡単に見つけ、取り出すことができる。したがって、各種の書類や伝票類の整理、保管に使用する多くのクリアホルダーを机上や卓上などに邪魔になることなしに置き、この多くのクリアホルダーの中から必要な書類や伝票などが入ったクリアホルダーを容易かつ迅速に見出し、取り出すことができ、また、クリアホルダー内の書類等を増やしたり減らしたりしたいときでも、書類等の出し入れを簡単に行うことができ、さらに、机上や卓上などの作業スペースを大きく占有することなしに、また他の作業の支障なしに、多くのクリアホルダーに収容された書類や伝票を一覧することができるなど、クリアホルダーによる各種の書類や伝票類の整理、保管、そして処理を簡便に行うことができる。
【００１１】
本考案のクリアホルダー用ハンガーは、上記の構成により、一対のフック部材を固定手段を介して一般のクリアホルダー（の各透明又は半透明シートの上部）に取り付けて、吊り下げ式のクリアホルダーに仕様変更できるので、机上や卓上などに例えば棒状、紐状、又はワイヤ状のものを架設したり、ハンガーを係脱可能な形状を有するラックなどを設置したりすることで、一般のクリアホルダーでも後付けのハンガーにより吊り下げることができ、多くのクリアホルダーを机上や卓上などで吊り下げて立てることができる。これにより、多数のクリアホルダーでも、机上や卓上などに少ないスペースで置くことができる。そして、多くのクリアホルダーでも、各クリアホルダーの間から、各クリアホルダーに収納された書類や伝票を各クリアホルダーの透明シートを通して視認することができ、必要な書類や伝票が収納されたクリアホルダーを素早く、簡単に見つけ、取り出すことができる。したがって、各種の書類や伝票類の整理、保管に使用する多くのクリアホルダーを机上や卓上などに邪魔になることなしに置き、この多くのクリアホルダーの中から必要な書類や伝票などが入ったクリアホルダーを容易かつ迅速に見出し、取り出すことができ、また、クリアホルダー内の書類等を増やしたり減らしたりしたいときでも、書類等の出し入れを簡単に行うことができ、さらに、机上や卓上などの作業スペースを大きく占有することなしに、また他の作業の支障なしに、多くのクリアホルダーに収容された書類や伝票を一覧することができるなど、クリアホルダーによる各種の書類や伝票類の整理、保管、そして処理を簡便に行うことができる。
【００１２】
本考案のクリアホルダー用ハンガーユニットは、上記の構成により、一般のクリアホルダーに取り付けて吊り下げ形式のクリアホルダーに仕様変更するためのハンガーと、このハンガーを取り付けたクリアホルダーを吊り下げるためのバーを有するラックとを併せて備えたので、机上や卓上などにラックを設置することで、一般のクリアホルダーをハンガーによりラックのバーに掛けて吊り下げることができ、多くのクリアホルダーを机上や卓上などでラックに吊り下げて立てることができる。これにより、多数のクリアホルダーでも、机上や卓上などに少ないスペースで置くことができる。そして、多くのクリアホルダーでも、各クリアホルダーの間から、各クリアホルダーに収納された書類や伝票を各クリアホルダーの透明シートを通して視認することができ、必要な書類や伝票が収納されたクリアホルダーを素早く、簡単に見つけ、取り出すことができる。したがって、各種の書類や伝票類の整理、保管に使用する多くのクリアホルダーを机上や卓上などに邪魔になることなしに置き、この多くのクリアホルダーの中から必要な書類や伝票などが入ったクリアホルダーを容易かつ迅速に見出し、取り出すことができ、また、クリアホルダー内の書類等を増やしたり減らしたりしたいときでも、書類等の出し入れを簡単に行うことができ、さらに、机上や卓上などの作業スペースを大きく占有することなしに、また他の作業の支障なしに、多くのクリアホルダーに収容された書類や伝票を一覧することができるなど、クリアホルダーによる各種の書類や伝票類の整理、保管、そして処理を簡便に行うことができる。
【考案を実施するための最良の形態】
【００１３】
以下、本考案の実施の形態について、図１乃至図６を用いて説明する。図１及び図２は本考案の第１の実施の形態としてクリアホルダーを示している。図１に示すように、クリアホルダー１は、クリアホルダー本体１１と、ハンガー１４とを備える。クリアホルダー本体１１は、一般に使用されるクリアホルダーと同様で、略長方形の透明のプラスチックシートが長手方向中央で２つに折られて、表裏２つの略長方形の透明シート１２からなり、当該折り曲げられた縁部１３１を一側縁部とし、これに隣接する各透明シート１２の下端縁部１３２を熱溶着や超音波溶着などの接着手段を介して結合され、折り曲げられた縁部１３１に対する各透明シート１２の他側縁部１３３及び上端縁部１３４を開閉可能な略袋形状に形成される。なお、プラスチックシートは半透明のものでもよく、この場合、透明シートは半透明シートになることは言うまでもない。また、このクリアホルダー１には、必要に応じて、インデックスを設けてもよい。ハンガー１４は一対のフック部材１５を備える。各フック部材１５はプラスチック材料により一体成形され、逆Ｊ字形（又はこれに類似する形状）の係止部１５１とこの係止部１５１の下端に横方向に延びる固定部１５２とを有し、全体が略Ｃ字形の又はこれに類似する平面形状に形成される。なお、この場合、係止部１５１の内側縁上端部は略半円状の溝形形状１５３に形成されているが、この溝形形状１５３は略四角形でも略三角形でもよく、その形状は係止作用を有する限り任意である。これらのフック部材１５はそれぞれ、固定部１５２の内側面を各透明シート１２の上部中央外側面に接着材や熱溶着などの接着手段を介して固定して取り付けられる。この場合、図示のように、固定部１５２がその上側エッジをクリアホルダー本体１１（透明シート１２）の上端縁部１３４よりも幾分（１ｃｍ位）突出して固定され、係止部１５１が透明シート１２の上端縁部１３４から上方に延ばし出される。かくしてこのクリアホルダー１に収納された書類等が大きく、その上端がクリアホルダー１の上端縁部１３４からはみ出す場合に、この固定部１５２の上側エッジで書類等のはみ出し端を保護することができる。その具体的な作用は後述する。なお、各フック部材１５は各透明シート１２の内側面に取り付けられてもよいが、各フック部材１５が各透明シート１２の内側面に取り付けられると、このフック部材１５に各透明シート１２間に収納される書類や伝票が引掛かって取り出しにくくなったり、破損したりするおそれがあるため、各フック部材１５は各透明シート１２の外側面に取り付けられることが望ましい。また、ここでフック部材１５は係止部１５１が固定部１５２に対して一体になっていて固定の状態であるが、係止部１５１が固定部１５２に対して回動可能に構成されてもよい。さらにまた、ここでフック部材１５はクリアホルダー本体１１と別体のものとして形成されているが、クリアホルダー本体１１に直接、このフック部材１５に相当するフックが一体に形成されてもよい。この場合、フック部材１５の、固定部１５２の上側エッジに相当する部分も併せて形成されることが望ましく、このようにすることで既述のとおりの効果を得ることができる。このようにクリアホルダー１は、各透明シート１２の上部にハンガー１４が設けられて、吊り下げ形式に構成される。
【００１４】
このクリアホルダー１は机上や卓上などでハンガー１４を使って吊り下げて使用することができる。例えば、図２に示すように、机上や卓上などにクリアホルダー１のハンガー１４が係脱可能な棒状、紐状、又はワイヤ状の部材を架設したり、ハンガー１４を係脱可能な形状を有する一般のラックなどを設置したりすることで、このクリアホルダー１をハンガー１４により棒状その他の部材１７に吊り下げることができる。この場合、ハンガー１４の各フック部材１５を棒状その他の部材１７の上から引っ掛けるだけでクリアホルダー１を簡単に吊り下げることができ、クリアホルダー１を少し持ち上げれば、各フック部材１５を棒状その他の部材１７から簡単に取り外すことができ、手軽に使うことができる。さらにこの場合、ハンガー１４を棒状その他の部材１７に吊り下げたり取り外したりするときに、クリアホルダー１の上端縁部１３４の部位が棒状その他の部材１７に衝接することがあるが、クリアホルダー１に入れた書類等が大きく、クリアホルダー１の上端縁部１３４から少しはみ出していても、各フック部材１５の固定部１５２の、上側エッジがクリアホルダー１の上端縁部１３４から突出されているので、固定部１５２の上側エッジが棒状その他の部材１７に当たるだけで書類のはみ出し端が直接接触することはなく、この固定部１５２で書類のはみ出し端を保護することができる。また、クリアホルダー１を吊り下げていても、また取り外していても、クリアホルダー１（各透明シート１２）の開放縁部（既述の他側縁部１３３及び上端縁部１３４）からクリアホルダー１の中に書類や伝票を簡単に差し込むことができ、使いやすい。このようにして多くのクリアホルダー１を机上や卓上などで棒状その他の部材１７に吊り下げることができ、これらのクリアホルダー１を机上や卓上などに立てることができる。１枚１枚のクリアホルダー１の下部が略線形状で、１枚当たりの平面積は僅かなので、多数のクリアホルダー１でも、机上や卓上などに少ないスペースで置くことができる。そして、多くのクリアホルダー１でも、各クリアホルダー１を立てることで、各クリアホルダー１の間から、又はこの間隔を少し広げながら、各クリアホルダー１に収納された書類や伝票を各クリアホルダー１の透明シート１２を通して見ることができ、必要な書類や伝票が収納されたクリアホルダー１を捜しやすく、簡単に取り出すことができる。また、同じ要領ですべてのクリアホルダー１を一覧することができ、従来のように、クリアホルダーを机上や卓上などに広げて、他の作業の邪魔になったり、クリアホルダーが机上や卓上などに散らばって、書類や伝票の処理が進まなかったりすることもない。また、このクリアホルダー１の他の使い方として、このハンガー１４付きのクリアホルダー１に一般の（ハンガーの付いていない）クリアホルダーを挟み込むことができ、この一般のクリアホルダーに書類や伝票を差し入れるようにしてもよい。
【００１５】
以上説明したように、このクリアホルダー１によれば、各透明シート１２の上部にハンガー１４（一対のフック部材１５）を設け、吊り下げ形式にして、クリアホルダー１を机上や卓上などで棒状その他の部材１７を介して吊り下げて立てるようにしたので、各種の書類や伝票類の整理、保管に使用する多くのクリアホルダー１を机上や卓上などに邪魔になることなしに置き、この多くのクリアホルダー１の中から必要な書類や伝票などが入ったクリアホルダー１を容易かつ迅速に見出し、取り出すことができ、また、クリアホルダー１内の書類等を増やしたり減らしたりしたいときでも、書類等の出し入れを簡単に行うことができ、さらに、机上や卓上などの作業スペースを大きく占有することなしに、また他の作業の支障なしに、多くのクリアホルダー１に収容された書類や伝票を一覧することができるなど、クリアホルダー１による各種の書類や伝票類の整理、保管、そして処理を簡便に行うことができる。
【００１６】
図３は本考案の第２の実施の形態としてクリアホルダーユニットを示している。図３に示すように、クリアホルダーユニット２は、複数のハンガー１４付きのクリアホルダー１と、これらのクリアホルダー１を吊り下げるためのラック２１とを併せて備える。各クリアホルダー１については、第１の実施の形態と同様であり、ここでは第１の実施の形態と同じ符号を付してその重複した説明を省略することにする。ラック２１は、１本のバー２２と、これを支持するベース２３とを備える。１本のバー２１は金属材により形成された丸棒材で、クリアホルダー１の各ハンガー１４を係脱可能にかつ係止状態のまま水平方向にスライド可能な断面形状及び所定の長さを有する。この場合、バー２２は、ハンガー１４の係止部１５１の、特に半円形の溝形形状１５３（図１参照）の直径よりも少し小さい断面円形に形成され、かつ、例えば３０枚程度のクリアホルダー１が概ね５ｍｍ間隔で吊り下げ可能な所定の長さに形成される。なお、このバー２２の断面形状はハンガー１４の溝形形状１５３に合わせて変更されてもよい。例えば、ハンガー１４の溝形形状１５３が略四角形であれば、バー２２の断面は略四角形に変更されてもよく、ハンガー１４の溝形形状１５３が略三角形であれば、バー２２の断面は略三角形に変更されてもよく、いずれの場合も、バー２２の断面積はハンガー１４の溝形形状１５３の断面積よりも少し小さくすることが好ましい。また、このバー２２は金属材に代えて、木材又はプラスチック材により形成されてもよい。一方、ベース２３は一対のプレート２４とこれらのプレート２４を連結するフレーム２５とにより構成される。この場合、各プレート２４は木材により、高さ方向がクリアホルダー１のそれよりも大きく、幅方向がクリアホルダー１のそれよりも小さい四角形、この場合、台形に形成され、上部にバー２２の取付部２４０が設けられる。なお、この取付部２４０はバー２２をプレート２４に設けた穴に通し、ねじで締結する形式でもよく、またバー２２をプレート２４に設けた溝に落とし込む又は嵌め込む形式でもよく、さらにバー２２をプレート２４に接着剤で固定する形式でもよく、その固定形式は任意である。フレーム２５は２本のパイプ２５１からなり、各パイプ２５１は金属材によりバー２２と略同様に形成される。このようにして一対のプレート２４の下部間に２本のパイプ２５１が架け渡され、ねじ締結、接着剤その他の通常使用される固定手段により固定されて組み立てられる。このようなベース２３において、バー２２は各プレート２４上部の取付部２４０間に架け渡され、各クリアホルダー１を吊り下げ可能な所定の高さに支持される。なお、各プレート２４は木材に代えて、金属材又はプラスチック材で形成されてもよく、その形状は任意で、三角形や円形であってもよい。さらに、各プレート２４はフレーム構造のものに代えることができ、その形状も任意である。また、フレーム２５は金属製のパイプ２５１に代えて、木製又はプラスチック製の棒材により形成されてもよい。さらに、フレーム２５はプレート構造のものに代えることができ、その形状も任意である。また、ここでベース２３はバー２２の両端を支持する両持ち構造になっているが、バー２２の一端を支持する片持ち構造にしてもよい。この場合、ベース２３は机上や卓上などに設置される設置ベースと、この設置ベースから立ち上げられてバー２２を水平に支持する立ち上がりベースとにより構成され、既述のプレートやフレーム、又はこれらの組み合わせにより形成されることになる。また、この実施の形態では、単品のラック２１が例示されているが、複数のラック２１を組み合わせて構成されてもよい。この場合、複数のラック２１が直列に並べて組み合わされてもよく、上下方向に積み上げて組み合わされてもよい。いずれの場合でも、各ラック２１に簡易式の接続部品又は連結手段を併せて備えることで、複数のラック２１を一体的に結合することができる。
【００１７】
このクリアホルダーユニット２により、ハンガー１４付きのクリアホルダー１は机上や卓上などでラック２１に吊り下げて使用される。例えば、机上や卓上などにラック２１を設置して、クリアホルダー１をハンガー１４によりラック２１のバー２２に吊り下げることができる。この場合、ハンガー１４の各フック部材１５をバー２２の上から引っ掛けるだけでクリアホルダー１をラック２１に簡単に吊り下げることができ、クリアホルダー１を少し持ち上げれば、各フック部材１５をバー２２から簡単に取り外すことができ、また、クリアホルダー１を吊り下げていても、また取り外していても、クリアホルダー１の開放縁部からクリアホルダー１の中に書類や伝票を簡単に差し込むことができ、手軽に使うことができる。このようにして多くのクリアホルダー１を机上や卓上などでラック２１に吊り下げることができ、これらのクリアホルダー１を机上や卓上などに立てて、水平方向に整列することができる。１枚１枚のクリアホルダー１の下部が略線形状で、１枚当たりの平面積は僅かなので、多数のクリアホルダー１でも、机上や卓上などに少ないスペースで置くことができる。そして、多くのクリアホルダー１でも、各クリアホルダー１を立てることで、各クリアホルダー１の間から、又はこの間隔を少し広げながら、各クリアホルダー１に収納された書類や伝票を各クリアホルダー１の透明シート１２を通して見ることができ、必要な書類や伝票が収納されたクリアホルダー１を捜しやすく、簡単に取り出すことができる。また、同じ要領ですべてのクリアホルダー１を一覧することができ、従来のように、クリアホルダー１を机上に広げて、他の作業の邪魔になったり、クリアホルダー１が机上に散らばって、書類や伝票の処理が進まなかったりすることもない。また既述のとおり、このクリアホルダー１の他の使い方として、このハンガー１４付きのクリアホルダー１に一般の（ハンガーの付いていない）クリアホルダーを挟み込み、この一般のクリアホルダーに書類や伝票を差し入れるようにしてもよいことは勿論である。
【００１８】
以上説明したように、このクリアホルダーユニット２によれば、複数のハンガー１４付きのクリアホルダー１と、これらのクリアホルダー１を吊り下げるためのラック２１とを併せて備え、複数のクリアホルダー１を机上や卓上などでラック２１（のバー２２）により吊り下げて立てるようにしたので、各種の書類や伝票類の整理、保管に使用する多くのクリアホルダー１を机上や卓上などに邪魔になることなしに置き、この多くのクリアホルダー１の中から必要な書類や伝票などが入ったクリアホルダー１を容易かつ迅速に見出し、取り出すことができ、また、クリアホルダー１内の書類等を増やしたり減らしたりしたいときでも、書類等の出し入れを簡単に行うことができ、さらに、机上や卓上などの作業スペースを大きく占有することなしに、また他の作業の支障なしに、多くのクリアホルダー１に収容された書類や伝票を一覧することができるなど、クリアホルダー１による各種の書類や伝票類の整理、保管、そして処理を簡便に行うことができる。
【００１９】
図４及び図５は本考案の第３の実施の形態としてクリアホルダー用ハンガーを示している。図４、図５に示すように、クリアホルダー用ハンガー３（以下、単にハンガー３という。）は、一般のクリアホルダーＣに後付けされるアクセサリーで、一対のフック部材３５と、これらのフック部材３５をクリアホルダーＣの各透明シートＣ１２に固定するための固定手段３６とを備える。各フック部材３５はプラスチック材料により一体成形され、逆Ｊ字形（又はこれに類似する形状）の係止部３５１とこの係止部３５１の下端に横方向に延びる固定部３５２とを有し、全体が略Ｃ字形の又はこれに類似する平面形状に形成される。なお、この場合、係止部３５１の内側縁上端部は略半円状の溝形形状３５３に形成されているが、この溝形形状３５３は略四角形でも略三角形でもよく、その形状は係止作用を有する限り任意である。また、ここでフック部材３５は係止部３５１が固定部３５２に対して一体になって固定の状態であるが、係止部３５１が固定部３５２に対して回動可能に構成されてもよい。固定手段３６には接着手段が採用される。この場合、図５に示すように、各フック部材３５の固定部３５２の内側面に接着剤３６１が塗布され、その表面に剥離紙３６２が被着されて接着剤３６１が保護される。また、この接着剤３６１及び剥離紙３６２に代えて、両面テープを用いてもよい。なお、各フック部材３５はビス止めなどにより固定されてもよいが、ビスが透明シートＣ１２の内側面に突き出されると、このビスに各透明シートＣ１２間に収納される書類や伝票が引掛かって取り出しにくくなったり、破損したりするおそれがあるため、各フック部材３５は接着手段により各透明シートＣ１２の外側面に取り付けられることが望ましい。このハンガー３を一般のクリアホルダーＣに取り付けて、吊り下げ式のクリアホルダーに仕様変更することができる。
【００２０】
このハンガー３を一般のクリアホルダーＣに取り付ける場合、各フック部材３５の固定部３５２から剥離紙３６２を剥がし、その接着面（接着剤３６１）を各透明シートＣ１２の上部中央外側面にその上端縁部Ｃ１３４に沿って貼り着ける。これにより、各フック部材３５の係止部３５１が各透明シートＣ１２の上端縁部Ｃ１３４から上方に突出される。なお、この場合、既述のとおり、各フック部材３５を各透明シートＣ１２の内側面に取り付けてもよいが、各フック部材３５を各透明シートＣ１２の内側面に取り付けると、このフック部材３５に各透明シートＣ１２間に収納される書類や伝票が引掛かって取り出しにくくなったり、破損したりするおそれがあるため、各フック部材３５は各透明シートＣ１２の外側面に取り付けられることが望ましい。このようにして一般のクリアホルダーＣは、各透明シートＣ１２の上部にハンガー３が取り付けられ、吊り下げ形式に構成される。
【００２１】
このようにして一般のクリアホルダーＣを吊り下げ式のクリアホルダーに変えることにより、このクリアホルダーＣを机上や卓上などで棒状その他の部材に吊り下げて使用することができる。この場合のクリアホルダーＣの取り扱い方や使い方は第１の実施の形態と同じなので、ここではその重複した説明を省略する（図２参照）。
【００２２】
以上説明したように、このハンガー３によれば、一対のフック部材３５を固定手段３６を介して一般のクリアホルダーＣ（の各透明シートＣ１２）の上部に取り付けて、吊り下げ式のクリアホルダーに仕様変更し、机上や卓上などで棒状その他の部材を介して吊り下げて立てるようにしたので、各種の書類や伝票類の整理、保管に使用する多くのクリアホルダーＣを机上や卓上などに邪魔になることなしに置き、この多くのクリアホルダーＣの中から必要な書類や伝票などが入ったクリアホルダーＣを容易かつ迅速に見出し、取り出すことができ、また、クリアホルダーＣ内の書類等を増やしたり減らしたりしたいときでも、書類等の出し入れを簡単に行うことができ、さらに、机上や卓上などの作業スペースを大きく占有することなしに、また他の作業の支障なしに、多くのクリアホルダーＣに収容された書類や伝票を一覧することができるなど、クリアホルダーＣによる各種の書類や伝票類の整理、保管、そして処理を簡便に行うことができる。
【００２３】
図６に第４の実施の形態としてクリアホルダー用ハンガーユニットを示している。図６に示すように、クリアホルダー用ハンガーユニット４は、複数のクリアホルダー用ハンガー３（以下、単にハンガー３という。）と、このハンガー３を取り付けたクリアホルダーＣを吊り下げるためのラック２１とを併せて備える。この場合、ハンガー３の構成及びその取り扱いや使い方は、第３の実施の形態（各変更例を含む）と同様であり、ここでは第３の各実施の形態と同じ符号を付してその重複した説明を省略することにする。また、ラック２１の構成及びその取り扱いや使い方は、第２の実施の形態（各変更例を含む）で例示したラックと同様であり、ここでは第２の実施の形態と同じ符号を付してその重複した説明を省略することにする。
【００２４】
以上説明したように、このクリアホルダー用ハンガーユニット４によれば、複数のハンガー３と、ラック２１とを併せて備え、一般のクリアホルダーＣにハンガー３を取り付けて、一般のクリアホルダーＣを机上や卓上などでラック２１（のバー２２）により吊り下げて立てるようにしたので、各種の書類や伝票類の整理、保管に使用する多くのクリアホルダーＣを机上や卓上などに邪魔になることなしに置き、この多くのクリアホルダーＣの中から必要な書類や伝票などが入ったクリアホルダーＣを容易かつ迅速に見出し、取り出すことができ、また、クリアホルダーＣ内の書類等を増やしたり減らしたりしたいときでも、書類等の出し入れを簡単に行うことができ、さらに、机上や卓上などの作業スペースを大きく占有することなしに、また他の作業の支障なしに、多くのクリアホルダーＣに収容された書類や伝票を一覧することができるなど、クリアホルダーＣによる各種の書類や伝票類の整理、保管、そして処理を簡便に行うことができる。
【図面の簡単な説明】
【００２５】
【図１】本考案の第１の実施の形態として示すクリアホルダーの側面図
【図２】同クリアホルダーの取り扱い方及び使い方を示す斜視図
【図３】本考案の第２の実施の形態として示すクリアホルダーユニットの斜視図
【図４】本考案の第３の実施の形態として示すクリアホルダー用ハンガーの側面図
【図５】同クリアホルダー用ハンガー及びその固定手段を示す側面図
【図６】本考案の第４の実施の形態として示すクリアホルダー用ハンガーユニットの斜視図
【符号の説明】
【００２６】
１  クリアホルダー
１１  クリアホルダー本体
１２  透明シート
１３１  折り曲げられた縁部（一側縁部）
１３２  下端縁部
１３３  他側縁部
１３４  上端縁部
１４  ハンガー
１５  フック部材
１５１  係止部
１５２  固定部
１５３  溝形形状
１７  棒状その他の部材
２  クリアホルダーユニット
２１  ラック
２２  バー
２３  ベース
２４  プレート
２４０  取付部
２５  フレーム
２５１  パイプ
３  クリアホルダー用ハンガー
Ｃ  一般のクリアホルダー
Ｃ１２  透明シート
Ｃ１３４  上端縁部
３５  フック部材
３５１  係止部
３５２  固定部
３５３  溝形形状
３６  固定手段
３６１  接着剤
３６２  剥離紙
４  クリアホルダー用ハンガーユニット
【図１】
0003129071.tif 000003
【図２】
0003129071.tif 000004
【図３】
0003129071.tif 000005
【図４】
0003129071.tif 000006
【図５】
0003129071.tif 000007
【図６】
0003129071.tif 000008